(57)【特許請求の範囲】
【請求項１】
リールを脱着自在に装着可能なリールシートを周面に有する筒状の元竿と、
前記元竿の穂先側に振出形式で連結され、周面に前記リールからの釣糸を竿体内部に導入するための釣糸導入口を有すると共に、前記元竿内に挿入される軸方向一定範囲の竿元側周面が前記元竿の軸方向の全体に亘って挿入される間に前記元竿の穂先側端部の内径に連続的に当接する当接周面となっている筒状の元上竿と、
前記元上竿の穂先側に順次連結され内部に釣糸が挿通可能な釣糸通路を有する複数の筒状の竿体からなる竿体ユニットと
を備えた中通し竿。
【請求項２】
前記元竿は軸方向においてテーパの変化がないストレート形状又はテーパが０／１０００〜２／１０００の超スローテーパが施された筒状部材であり、
前記元上竿は前記元竿内に挿入される軸方向一定範囲が前記元竿の形状に合致するように設定されている、請求項１に記載の中通し竿。
【請求項３】
前記元竿は、軸方向において内径が変化しないストレート部分又はテーパが０／１０００〜２／１０００の超スローテーパ部分と、前記ストレート部分または超スローテーパ部分の穂先側に形成され内径が穂先側ほど小径化するテーパ部分とを有し、
前記元上竿は、前記テーパ部分の内周面に嵌着可能な嵌合雄部を竿元側外周面に有すると共に、前記ストレート部分または前記超スローテーパ部分に連続的に当接する当接周面を竿元側端部外周面に有している、請求項１に記載の中通し竿。
【請求項４】
前記元竿の竿元側端部に脱着自在に装着され、前記元上竿の竿元側端部を係止可能な係止手段を有する底栓をさらに備える、請求項１〜３のいずれかに記載の中通し竿。
【請求項５】
前記元上竿の周面に形成される釣糸導入口は、前記元上竿が前記元竿内に収納された際に前記元竿の穂先側端部近傍に位置する、請求項１〜４の何れかに記載の中通し竿。
【請求項６】
前記釣糸導入口を開閉自在に覆う蓋部をさらに備える、請求項５に記載の中通し竿。
【請求項７】
前記蓋部は、前記元上竿の釣糸導入口付近の周面に周方向に回転自在に配置される筒状体であり、前記釣糸導入口に合致する開口を有している、請求項６に記載の中通し竿。
【請求項８】
前記蓋部は、前記元上竿の釣糸導入口付近の周面に軸方向に滑動自在に配置される筒状体である、請求項６に記載の中通し竿。
【請求項９】
前記元上竿は、前記元上竿の前記釣糸導入口の開口周縁に沿って配置される開口リングと、前記開口リング上に配置されるゴムパッキンをさらに備え、
前記蓋部は、前記元上竿の前記釣糸導入口の穂先側周面を回動中心として前記元上竿に固定されたアーム部分と、前記アーム部分の前記元上竿側面に配置され前記釣糸導入口を閉塞可能な弾性体とを有している、請求項６に記載の中通し竿。
【請求項１０】
前記元上竿は、前記元上竿の前記釣糸導入口の開口周縁に沿って配置される開口リングをさらに備え、
前記蓋部は、前記元上竿の前記釣糸導入口の穂先側周面を回動中心として前記元上竿に固定されたアーム部分と、前記アーム部分の前記元上竿側面に配置されたゴムパッキンと、前記ゴムパッキン上に配置された前記釣糸導入口を閉塞可能な弾性体とを有している、請求項６に記載の中通し竿。
【請求項１１】
前記蓋部は、前記元上竿の前記釣糸導入口の穂先側周面を回動中心として前記元上竿に固定されたアーム部分と、前記アーム部分の前記元上竿側面に配置され前記釣糸導入口を閉塞可能な弾性体とを有し、前記弾性体は液体を吸湿可能なスポンジ材である、請求項６に記載の中通し竿。
【発明の詳細な説明】
【０００１】
【発明の属する技術分野】
本発明は、竿体内部をリールからの釣糸が挿通する中通し竿に関する。
【０００２】
【従来の技術】
従来の中通し竿は、内部に釣糸が挿通可能な釣糸通路を有する複数の竿体を順次振出形式や並継形式で連結して構成されている。例えば、最も手元側に位置する元竿には、リールを取り付け可能なリールシートが形成され、リールシートの穂先側にはリールからの釣糸を竿体内部の釣糸通路に導入するための釣糸導入口が形成される。また、最も穂先側に位置する穂先竿の穂先側端部にはトップガイドが設けられている。そして、リールシートに取り付けられたリールからの釣糸は釣糸導入口から竿体内部へ導かれ、順次各竿体を挿通して穂先側のトップガイドへ至り、トップガイドから外部へ導出されることになる。
【０００３】
【発明が解決しようとする課題】
このような中通し竿では、釣りをおこなう際に釣糸に付着した水が、釣糸の巻き上げと共に中通し竿内に侵入し、竿体内部に溜まってしまう場合がある。このような竿体内へ水の侵入は、釣りを行っている最中において釣竿の重量化を招くと共に、竿体内に溜まった水は釣糸の抵抗を増大させる。さらに、釣竿を痛める一因ともなる。特に、近年の中通し竿においては、竿体内部の通路に軸方向に螺旋状に連続して突起を形成し、釣糸の摺動抵抗の軽減を図るような工夫が施されていることもある。このような中通し竿においては、突起と突起との間に水が特に溜まりやすい。
【０００４】
このようにして竿体内部に溜まってしまった場合、竿体を勢いよく振る等して水を外部に排出することになるが、良好に水を排水できるものではない。
【０００５】
本発明の課題は、釣糸に付着して竿体内部に溜まってしまった水を容易に排水可能な中通し竿を提供することにある。
【０００６】
【課題を解決するための手段】
発明１の中通し竿は、リールを脱着自在に装着可能なリールシートを周面に有する筒状の元竿と、元竿の穂先側に振出形式で連結され、周面にリールからの釣糸を竿体内部に導入するための釣糸導入口を有すると共に、元竿内に挿入される軸方向一定範囲の竿元側周面が、元竿の軸方向の全体に亘って挿入される間に元竿の穂先側端部の内径に連続的に当接する当接周面となっている筒状の元上竿と、元上竿の穂先側に順次連結され内部に釣糸が挿通可能な釣糸通路を有する複数の筒状の竿体からなる竿体ユニットとを備えている。
【０００７】
この中通し竿は、釣りを行う際には、元竿の穂先側に元上竿を引き出し、竿体ユニットを順次連結し、一本の長い釣竿とした上で、リールからの釣糸を釣糸導入口から竿体内に導入して穂先側へ導いて用いられる。魚釣りを行って釣糸を巻き上げる等の作業を繰り返した際に、釣糸と共に竿体内部に導入されて竿体内に溜まってくる水は、以下の様な手順で排水する。
【０００８】
各竿体を連結して一本の長い釣竿としている状態で、例えば釣糸導入口を手で抑える等して塞いだ上で、元竿を穂先側に勢いよく押し出し、元上竿を元竿内に収納した状態とする。元竿と元上竿とは振出形式で連結され、且つ元竿内に挿入される軸方向一定範囲の竿元側周面が元竿の軸方向の全体に亘って挿入される間に元竿の穂先側端部の内径に連続的に当接する当接周面となっている。即ち、元上竿の外径と元竿の穂先側端部内径との間は殆ど隙間が生じないように設定されている。このため、元竿と元上竿とはシリンダとピストンのように作用し、元竿内の空気が元上竿内に押し出され、この押し出された空気が元上竿，竿体ユニット内に溜まった水を穂先側へ押し出す。
【０００９】
発明２の中通し竿は、発明１の中通し竿であって、元竿は軸方向においてテーパの変化がないストレート形状又はテーパが０／１０００〜２／１０００の超スローテーパが施された筒状部材であり、元上竿は元竿内に挿入される軸方向の一定範囲が元竿の形状に合致するように設定されている。
【００１０】
この中通し竿では、元竿及び元上竿が軸方向にストレート形状又は所定のテーパが施された筒状体として構成され、元竿内に挿入される元上竿の軸方向一定範囲の竿元側周面が元竿の穂先側端部の内径に軸方向に連続的に当接する。即ち、元上竿の外径と元竿の穂先側端部内径との間は軸方向に連続して殆ど隙間が生じないように設定されている。そして、元竿を穂先側に押し出した際には、元竿内の空気が他に逃げることなく元上竿や竿体ユニット内の水を良好に排水する。
【００１１】
発明３の中通し竿は、発明１の中通し竿であって、元竿は、軸方向において内径が変化しないストレート部分又はテーパが０／１０００〜２／１０００の超スローテーパ部分と、ストレート部分または超スローテーパ部分の穂先側に形成され内径が穂先側ほど小径化するテーパ部分とを有している。一方、元上竿は、テーパ部分の内周面に嵌着可能な嵌合雄部を竿元側外周面に有すると共に、ストレート部分または超スローテーパ部分に連続的に当接する当接周面を竿元側端部外周面に有している。
【００１２】
この中通し竿では、元上竿を元竿内に出し入れする際に、元竿のストレート部分または超スローテーパ部分の内周面と元上竿の当接周面が軸方向に連続的に当接する。即ち、元上竿の当接周面の外径と元竿のストレート部分または超スローテーパ部分の内径との間は軸方向に連続して殆ど隙間が生じないように設定されている。そして、元竿を穂先側に押し出した際には、元竿内の空気が他に逃げることなく元上竿や竿体ユニット内の水を良好に排水する。
【００１３】
なお、元上竿を元竿の穂先側に引き出した際には、元竿の穂先側のテーパ部分の内周面が元上竿の竿元側の外周面に嵌着して、元竿と元上竿とが固定されることになる。
【００１４】
発明４の中通し竿は、発明１〜３の何れかの中通し竿であって、元竿の竿元側端部に脱着自在に装着され、元上竿の竿元側端部を係止可能な係止手段を有する底栓をさらに備えている。
【００１５】
この中通し竿では、元上竿を元竿内に収納した際には、元上竿の竿元側端部が底栓に係止されて固定される。このように、元上竿を元竿内に収納した状態においても両者を固定可能であり、元上竿を元竿内に収納した状態でも釣りを行うことが可能である。
【００１６】
発明５の中通し竿は、発明１〜４のいずれかの中通し竿であって、元上竿の周面に形成される釣糸導入口は、元上竿が元竿内に収納された際に元竿の穂先側端部近傍に位置する。
【００１７】
この中通し竿では、釣糸導入口が元上竿の所定位置に形成されることで、元竿を元上竿方向へ押し出し排水作業を行う際に、釣糸導入口を手で塞ぎやすく、排水操作も容易である。
【００１８】
発明６の中通し竿は、発明５の中通し竿であって、釣糸導入口を開閉自在に覆う蓋部をさらに備える。
【００１９】
この中通し竿においては、蓋部を閉じて釣糸導入口を塞いて排水作業を行う。釣糸導入口を塞いで空気漏れを効果的に抑えて、元上竿乃至竿体ユニット内の水をより効果的に穂先側に排水可能となる。
【００２０】
発明７の中通し竿は、発明６の中通し竿であって、蓋部は、元上竿の釣糸導入口付近の周面に周方向に回転自在に配置される筒状体であり、釣糸導入口に合致する開口を有している。
【００２１】
この中通し竿で排水作業を行う際には、蓋部を周方向に回転させて、釣糸導入口を蓋部で塞ぐ。一方、釣りを行う際には、蓋部を周方向に回転させて開口を釣糸導入口に合致させて、釣糸導入口を開口させる。
【００２２】
発明８の中通し竿は、発明６の中通し竿であって、蓋部は、元上竿の釣糸導入口付近の周面に軸方向に滑動自在に配置される筒状体である。
【００２３】
この中通し竿で排水作業を行う際には、蓋部を軸方向に移動させて釣糸導入口を蓋部で塞ぐ。一方、釣りを行う際には、蓋部を軸方向に移動させて釣糸導入口を開口させる。
【００２４】
発明９の中通し竿は、発明６の中通し竿であって、元上竿は、元上竿の釣糸導入口の開口周縁に沿って配置される開口リングと、開口リング上に配置されるゴムパッキンをさらに備えている。そして、蓋部は、元上竿の釣糸導入口の穂先側周面を回動中心として元上竿に固定されたアーム部分と、アーム部分の元上竿側面に配置され釣糸導入口を閉塞可能な弾性体とを有している。
【００２５】
この中通し竿で排水作業を行う際には、蓋部のアーム部分を回動させて弾性体で釣糸導入口を塞ぐ。一方、釣りを行う際には、アーム部分を回動させて弾性体を釣糸導入口から外す。釣りを行っている際には、釣糸導入口周縁の開口リングが釣糸と接触して元上竿と釣糸とが相互に傷つけ合うのを防止する。また、釣糸導入口を弾性体部分で塞いでいる際にはゴムパッキンが弾性体と開口リングとの隙間からの空気漏れを防ぐ。
【００２６】
発明１０の中通し竿は、発明６の中通し竿であって、元上竿は、元上竿の釣糸導入口の開口周縁に沿って配置される開口リングをさらに備えている。そして、蓋部は、元上竿の釣糸導入口の穂先側周面を回動中心として元上竿に固定されたアーム部分と、アーム部分の元上竿側面に配置されたゴムパッキンと、ゴムパッキン上に配置された釣糸導入口を閉塞可能な弾性体とを有している。
【００２７】
この中通し竿で排水作業を行う際には、蓋部のアーム部分を回動させて弾性体で釣糸導入口を塞ぐ。一方、釣りを行う際には、アーム部分を回動させて弾性体部分を釣糸導入口から外す。釣りを行っている際には、釣糸導入口周縁の開口リングが釣糸と接触して元上竿と釣糸とが相互に傷つけ合うのを防止する。また、釣糸導入口を弾性体で塞いでいる際には、ゴムパッキンが弾性体と開口リングとの隙間からの空気漏れを防ぐ。
【００２８】
発明１１の中通し竿は、発明６の中通し竿であって、蓋部は、元上竿の釣糸導入口の穂先側周面を回動中心として元上竿に固定されたアーム部分と、アーム部分の元上竿側面に配置され釣糸導入口を閉塞可能な弾性体とを有し、弾性体は液体を吸湿可能なスポンジ材である。
【００２９】
この中通し竿で排水作業を行う際には、この中通し竿で排水作業を行う際には、蓋部のアーム部分を回動させてスポンジ材で釣糸導入口を塞ぐ。一方、釣りを行う際には、アーム部分を回動させてスポンジ材を釣糸導入口から外す。
【００３０】
さらに、スポンジ材に撥水材を含浸させておき、フラット部分で釣糸導入口を塞ぎつつ釣糸を巻き上げれば、釣糸の表面に撥水材を順次塗布できる。そして、釣糸の竿体内周面や竿体外周面へのべたつきも防止できる。
【００３１】
【発明の実施の形態】
［第１実施形態］
以下、本発明の第１実施形態について図面を参照しつつ説明する。
【００３２】
本発明の第１実施形態を採用した中通し竿は、図１に示すように、元竿１と、元竿１の穂先側に連結された元上竿２と、元上竿２の穂先側に連結された中竿３，４，５及び、その穂先側に連結された穂先竿６とを有している。これら元竿１〜穂先竿６は炭素繊維またはガラス繊維等に合成樹脂を含浸させたプリプレグから形成される先細り筒状部材である。そして、元上竿２〜穂先竿６は穂先側から順次竿元側の竿体の内部に挿入され出し入れ自在になっており、いわゆる振出形式で連結されている。もっとも、竿体の本数は必要とされる釣竿全体の長さ等によって適宜設定するものであり、このように６本に限定されるものではなく、任意の本数を用いることが可能である。また、元上竿２〜穂先竿６の内部は釣糸が挿通するための釣糸通路となっており、これらの内周面には軸方向に螺旋状に連続して形成される釣糸支持突起等を形成してもよい。
【００３３】
元竿１は、外周面に形成されリール（図示せず）を脱着自在に装着可能なリールシート８を有し、竿元側端部には尻栓９が脱着自在に装着されている。この元竿１は、軸方向に於いて径が変化しないストレート形状、若しくは０／１０００〜２／１０００程度の先細り超スローテーパが施された筒状部材である。このテーパ値は、後述のように元竿１内の空気を漏れを排除するために、好ましくは、０／１０００〜１／１０００，より好ましくは０／１０００〜０．７／１０００程度に設定する。また、竿元側端部内周面にはねじ山が直接形成され又は別途雌ねじ部材がはめ込まれて固定されており、ここに底栓９が脱着自在に螺合している。
【００３４】
元上竿２には、リールからの釣糸を竿体内部に導入する釣糸導入口１０が穂先側の外周面に形成されており、釣糸導入口１０の竿元側には、リールからの釣糸を釣糸導入口１０に案内するための釣糸導入ガイド１１が配置されている。釣糸導入口１０の開口周縁には、釣糸との接触から竿体自体を保護するために硬質セラミックなどをはめ込んでもよい。また、この実施形態では釣糸導入ガイド１１を釣糸導入口１０の竿元側に配置しているが、釣糸導入口１０を軸方向に跨ぐように配置してもよい。この釣糸導入口１０及び釣糸導入ガイド１１は、後述のように元上竿２が元竿１内に収納された際に、元竿１の穂先側端部近傍に位置する。
【００３５】
先にも述べたように元上竿２は元竿１の穂先側に振出形式で連結されている。そして、元竿１内に収納されることになる元上竿２の竿元側部分２ａは、図２に詳しく示すように、軸方向に一定の範囲において他の部分よりやや大径化しており、これらの部分が元竿１の内周面に軸方向に連続的にほぼ当接する。上述のように、元竿１はストレート形状若しくは先細り超スローテーパが施された筒状部材部材であり、この元上竿２の竿元側部分２ａもこれに対応してストレート形状若しくは先細り超スローテーパとなる。なお、元上竿２の竿元側端部は部分的にさらに大径化しており、穂先側に元上竿２が引き出された際に元竿１の穂先側端部内周面に嵌着して振出形式に嵌合固定可能となっている。
【００３６】
これらの元上竿２の竿元側部分２ａと軸方向に連続的に当接することになる元竿１の内周面及び／または元上竿２の竿元側部分２ａは、元上竿２と元竿１との接触摩耗等を防止するために、比較的柔らかい不織布製プリプレグ層等を設けることも考えられる。
【００３７】
なお、この実施形態では特に設けていないものの、元竿１の竿元側端部内周面（底栓９に隣接するような位置）で、元上竿２の竿元側端部外周をさらに元竿１に嵌着可能に、元竿１の竿元側端部に被嵌着部材を配置してもよい。このように設定すれば、元上竿２は元竿１の穂先側に引き出した状態と元竿１内に収納した状態の何れに於いても元竿１に固定可能となり、釣竿全体の長さを調整しつつ魚釣りを行うことも可能となる。
【００３８】
各中竿３〜５及び穂先竿６は周知の振出形式の竿体であり、それぞれ振出形式に嵌合可能なように穂先側端部内周面及び竿元側端部外周面に嵌合部分を有する。また、穂先竿６の穂先側端部にはトップガイド７が装着されている。
【００３９】
この中通し竿で釣りを行う際には、元竿１の穂先側に元上竿２〜穂先竿６を順次引き出し、一本の長い釣竿とした上で、リールからの釣糸を釣糸導入ガイド１１を介して釣糸導入口１０から竿体内に導入し、穂先側へ導いてトップガイド７から外部へ導出する。魚釣りを行って釣糸を巻き上げる等の作業を繰り返した際に、釣糸と共に各竿体内部に導入されて竿体内に溜まってくる水は、以下のようにして排水する。
【００４０】
図３に示すように、各竿体を連結して一本の長い釣竿としている状態で、釣糸導入口１０を手で抑える等して塞いだ上で、元竿１を穂先側に勢いよく押し出し、元上竿２を元竿内に収納した状態とする（作業を模式的に示した図４（ａ）（ｂ）参照）。元竿１と元上竿２とは振出形式で連結され、且つ元上竿２の元竿１内に挿入される軸方向一定範囲の竿元側周面２ａが元竿の穂先側端部の内径に連続的に当接する当接周面となって、元上竿２の外径と元竿１の内径との間は軸方向に連続して殆ど隙間が生じないように設定されている。このため、元竿１を穂先側に押し出した際には、元竿１内の空気が他に逃げることなく、元竿１と元上竿２とはシリンダとピストンのように作用し、元竿１内の空気が元上竿２内に押し出され、この押し出された空気が元上竿２やその穂先側の各竿体内に溜まった水を穂先側へ押し出し、トップガイド７より排水する。
【００４１】
［第２実施形態］
上記第１実施形態のように、元上竿２の元竿１内に収納される竿元側部分２ａを軸方向に一定の範囲で連続的に当接するように設定する代わりに、図５に示すように、元上竿２の竿元側端部外周面に弾性を有する短筒状部材３０を配置して、元竿１内の空気を円滑に元上竿２方向へ押し出すことも考えられる。この短筒状部材３０は元竿１の穂先側端部内周面側に配置してもよい。このような短筒状部材３０を配置することで、元竿１の穂先側から元竿１内に空気が逃げることなく、円滑に空気を元上竿２内へ押し出すことが可能である。
【００４２】
［第３実施形態］
本発明の第３実施形態を採用した中通し竿においても、第１実施形態と同様に、元竿１の穂先側に振出形式に元上竿２が連結されている。
【００４３】
元竿１は、図６に示すように、外周面に設けられるリール（図示せず）を脱着自在に装着可能なリールシート８を有し、竿元側端部には尻栓１９が脱着自在に装着されている。この元竿１は、竿元側端部よりおよそ軸方向全体に於いて内径が変化しないストレート形状、若しくは０／１０００〜２／１０００程度の先細り超スローテーパが施された筒状部材である。この部分においては内径の径が変化せず若しくは超スローテーパとなっていれば足り、必要な場合、外径においては径を変化させてもよい。そして、元竿１の穂先側端部、即ち、ストレート形状若しくは超スローテーパ部分の穂先側の一部は穂先側ほど内径が小径化するテーパ部分１ａとなっている（図７参照）。
【００４４】
一方、元竿１の竿元側端部外周面は一部が切り欠かれて切り欠き部が形成されると共に、この切り欠き部にリング状の雄ねじ部材２１が装着されている。そして、ここに底栓１９が脱着自在に螺合している。
【００４５】
図７に詳しく示すように、底栓１９は略短筒状の栓部材である。底栓１９は穂先側端部内周面にねじ山を有しており、このねじ山が上述の雄ねじ部材２１に螺合する。また、底栓１９の穂先側端面には元竿１の内部に向かって穂先側に突出する係止突起１９ａを有している。この係止突起１９ａはゴムなどの弾性部材からなり、その外径は、後述の元上竿２の竿元側端部の内径に合致するように設定される。このように係止突起１９ａに元上竿２の竿元側端部を係止させることで（図７参照）、元上竿２を元竿１に収納した状態での釣りも可能となるのである。
【００４６】
図７に示すように、元上竿２は、先細りテーパの施された筒状部材である。竿元側部分に於いて特に外径が竿元側ほど大径化する他の部分より傾斜の大きいテーパ部分２ｂを有する。この元上竿２のテーパ部分２ｂのテーパ傾斜は、上述の元竿１のテーパ部分１ａの内径に合致するように設定されている。そして、元上竿２を元竿１の穂先側に引き出した状態で、この元上竿２の竿元側外周面と元竿１の穂先側内周面とが嵌着して、元竿１と元上竿２は相互に連結固定されることになる。
【００４７】
また、テーパ部分２ｂの竿元側端部、即ち、元上竿２の竿元側端部の外径はおよそ元竿１のストレート形状若しくは超スローテーパ部分の内径に合致するように設定されて当接周面となっている。当接周面を形成する元上竿２の竿元側端部の外周面の軸方向範囲は、任意に設定可能であるが、好ましくは、１〜２０ｍｍ程度とするのがよい。
【００４８】
この中通し竿で釣りを行う際には、第１実施形態と同様に、元竿１の穂先側に元上竿２〜穂先竿６を順次引き出し、一本の長い釣竿とした上で、リールからの釣糸を釣糸導入口１０から竿体内に導入し、穂先側へ導いてトップガイド７から外部へ導出する。そして、魚釣りを行って釣糸を巻き上げる等の作業を繰り返した際に、釣糸と共に各竿体内部に導入されて竿体内に溜まってくる水は、第１実施形態と同様の手順で排水可能となる。
【００４９】
即ち、各竿体を連結して一本の長い釣竿としている状態で、釣糸導入口１０を手で抑える等して塞いだ上で、元竿１を穂先側に勢いよく押し出し、元上竿２を元竿内に収納した状態とする。この際、元上竿２の竿元側端部の当接周面が元竿１のストレート若しくは超スローテーパ部分の内周面に軸方向に連続的に当接して、元竿１内の空気を逃がすことなく、元竿１と元上竿２とはシリンダとピストンのように作用し、元竿１内の空気が元上竿２内に押し出され、この押し出された空気が元上竿２やその穂先側の各竿体内に溜まった水を穂先側へ押し出し、トップガイド７より排水する。
【００５０】
［第４実施形態］
本発明の第４実施形態として、上述の第３実施形態の変形例を示す。
【００５１】
図８に示すように、元竿１は第３実施形態と同様のものであり、竿元側端部よりおよそ軸方向全体に於いて内径が変化しないストレート形状、若しくは０／１０００〜２／１０００程度の先細り超スローテーパが施された筒状部材である。そして、元竿１の穂先側端部、即ち、ストレート形状若しくは超スローテーパ部分の穂先側の一部は穂先側ほど内径が小径化するテーパ部分１ａとなっている。そして、元竿１の竿元側端部外周面は一部が切り欠かれて切り欠き部が形成されると共に、この切り欠き部にリング状の雄ねじ部材２１が装着されている。
【００５２】
図９に詳しく示すように、底栓２９は略短筒状の栓部材である。底栓２９は穂先側端部内周面にねじ山を有しており、このねじ山が雄ねじ部材２１に螺合する。また、底栓２９のねじ山の竿元側の内周面には周方向に間隔を隔てて形成され径内方向に突出する複数の係止リブ２９が形成されている。この係止リブ２９ａの内径は、後述する元上竿２の竿元側端部に装着される当接部材２５の外径に合致するように設定されており、元上竿２が元竿１内に挿入された際に、係止リブ２９ａが当接部材２５を係止する。そして、元上竿２を元竿１に収納した状態での釣りも可能としている。
【００５３】
図８に示すように、元上竿２は、先細りテーパの施された筒状部材である。第３実施形態と同様に、竿元側部分に於いて特に外径が竿元側ほど大径化する他の部分より傾斜の大きいテーパ部分２ｂを有する。この元上竿２のテーパ部分２ｂのテーパ傾斜は、上述の元竿１のテーパ部分１ａの内径に合致するように設定されている。そして、元上竿２を元竿１の穂先側に引き出した状態で、この元上竿２の竿元側外周面と元竿１の穂先側内周面とが嵌着し、元竿１と元上竿２は相互に連結固定されることになる。
【００５４】
また、元上竿２の竿元側端部には、ゴムなどの弾性体からなる筒状の当接部材２５が連結されている。この当接部材２５は元上竿２に接着固定若しくはねじ式で脱着自在に連結され、その外径は上述の元竿１のストレート形状若しくは超スローテーパ部分の内径に合致するように設定されている。
【００５５】
この中通し竿においても、第３実施形態と同様に、釣りを行う際に竿体内部に釣糸と共に侵入してたまってしまう水を排水可能である。即ち、各竿体を連結して一本の長い釣竿としている状態で、釣糸導入口１０を手で抑える等して塞いだ上で、元竿１を穂先側に勢いよく押し出し、元上竿２を元竿内に収納した状態とする。この際、元上竿２の竿元側端部の当接部材２５の外周面が元竿１のストレート若しくは超スローテーパ部分の内周面に軸方向に連続的に当接して、元竿１内の空気を逃がすことなく、元竿１と元上竿２とはシリンダとピストンのように作用し、元竿１内の空気が元上竿２内に押し出され、この押し出された空気が元上竿２やその穂先側の各竿体内に溜まった水を穂先側へ押し出し、トップガイド７より排水するのである。
【００５６】
［第５実施形態］
上述の各実施形態における元上竿２の釣糸導入口１０付近に、以下のような、蓋部材５０を配置することも可能である。
【００５７】
図１０に示すように、元上竿２の釣糸導入口１０付近及びその穂先側の一定範囲の周面には、軸方向に延びる溝５１が形成される。この溝５１は、釣糸導入口１０を上面側として、その左右両側面にそれぞれ軸方向に延びて形成される。元上竿２を製造後に周面を削って形成すればよい。また、別途レール状の部材を元上竿２の周面に接着等により固定することも可能である。
【００５８】
そして、この溝５１が形成されている元上竿２の周面上に蓋部材５０が軸方向に滑動自在に配置される。この蓋部材５０は合成樹脂または金属などからなるパイプ状の部材である。この蓋部材５０の内周面には上述の溝５１に噛み合うように軸方向に延びるレール５２が形成され、蓋部材５０は溝５１に沿って元上竿２上を軸方向に移動可能となっている。
【００５９】
この中通し竿にあっては、元竿１と元上竿２とをピストン・シリンダのように作用させて、竿体内部に溜まった水を排水する場合には、蓋部材５０を釣糸導入口１０上に移動させて釣糸導入口１０を塞ぎ、竿体内の空気が釣糸導入口１０から外部に流れ出てしまうのを抑える。一方、釣りを行う際には、蓋部材５０を釣糸導入口１０より穂先側に移動させて釣糸導入口１０を開口させる。
【００６０】
なお、このように蓋部材５０を元上竿２の周面に軸方向に滑動可能とする代わりに、図１１に示すように、蓋部材５３を周方向に回転自在に配置することも可能である。
【００６１】
この場合、元上竿２の釣糸導入口１０付近には周方向に溝を形成する。一方、蓋部材５３には周方向の一部に釣糸導入口１０に合致するような開口５３ａを設けておく。そして、蓋部材５３を元上竿２の周面で周方向に回転させることで、釣糸導入口１０を開閉する。なお、開口５３ａの周縁には必要に応じてセラミックスなどの硬質材を配置してもよい。
【００６２】
［第６実施形態］
図１２に示すように、リールシートが設けられる一般に元竿と呼ばれる竿体１の竿元側に、別途、筒状の袴部材４０を振出形式に連結する手法もある。この袴部材４０の押し出し作業によって、各竿体内に溜まった水を穂先側に排水することが可能となる。
【００６３】
［第７実施形態］
図１３及び図１４に示すように、元上竿２の釣糸導入口１０を塞ぐための蓋部材６０を用いることも可能である。この蓋部材６０は、元上竿２の釣糸導入口１０の穂先側に隣接する周面に固定される釣糸導入口１０の幅方向に延びる軸受け６１ａを有するリング部６１と、軸受け６１ａを中心にして回動自在に配置されたアーム６２と、アーム６２の裏面側に釣糸導入口１０に合致するように貼り付けられた弾性体６３とを有している。そして、必要に応じて付勢バネ６４などを軸受け６１ａに配置して、アーム６２を起立状態となるように付勢しておく。
【００６４】
このような蓋部材６０を用いても、容易に釣糸導入口１０を閉じて、竿体内部に溜まった水を排水可能となる。
【００６５】
また、この弾性体６３としてを液体を吸収可能なスポンジ状のものを用いてもよい。そして、この弾性体６３にフッ素系の撥水材を含浸させて、アーム６２を回動させて弾性体６３で釣糸導入口１０を塞ぎながら釣糸をリールで巻き上げる作業を行えば、撥水剤を順次釣糸の周面に塗布することも可能となる。
【００６６】
［その他の実施形態］
（ａ）さらに、上記第７実施形態の変形例として、釣糸導入口１０付近の構造にあっては、以下のようなものとすることも可能である。
【００６７】
図１５及び図１６に示すように、元上竿２の釣糸導入口１０には、その開口形状である長孔に合致するような開口リング７０をはめ込んで固定する。開口リング７０は上面方向視において、釣糸導入口１０より一回り大きな長孔をなし、釣糸導入口１０の周縁に填るフランジ部分を有してこれを釣糸導入口１０に填め込んで接着剤等で固定されている。上述の第７実施形態における蓋部６０の弾性体６３はこの開口リング７０の開口にほぼ合致するように設定され、開口リング７０の開口を塞ぎつつこれに当接する。また、この開口リング７０の上面の外周縁に沿って周状にリング状のゴムパッキン７１が配置され固定される。図１５に示すように、ゴムパッキン７１は弾性体６３をリング内に収納して、アーム６２と当接する。
【００６８】
このような開口リング７０を元上竿２の釣糸導入口１０の周縁に配置することで、釣糸導入口１０の周縁と釣糸とが相互に傷つけ合うのを防止できる。さらに、ゴムパッキン７１によって釣糸導入口１０閉塞時の空気漏れをも防げる。
（ｂ）さらに、ゴムパッキンは蓋部６０側に設置することも可能である。
【００６９】
例えば、図１７に示すように、アーム６２の元上竿側面にシート状のゴムパッキン６５を貼り付け、そのゴムパッキン６５の面上に別途弾性体６３を積層した２層構造とする。弾性体６３によって開口リング７０の開口を閉塞すると共に、ゴムパッキン６５が弾性体６３と開口リング７０との隙間からの空気漏れを防ぐことができる。特に、弾性体６３自体がゴムパッキン上に積層されており、弾性体６３による開口リング７０の開口の閉塞もスムーズなものとなる。
【００７０】
【発明の効果】
本発明にかかる中通し竿によれば、釣糸と共に竿体内部に溜まってしまう水を円滑に排水できる。
【図面の簡単な説明】
【図１】  本発明の第１実施形態を採用した中通し竿の全体図。
【図２】  図１の元上竿２及び元竿１を示した図。
【図３】  図１の中通し竿の排水作業を示した図。
【図４】  図３の排水作業を示す模式図。
【図５】  本発明の第２実施形態を採用した元上竿２を示した図。
【図６】  本発明の第３実施形態を採用した中通し竿の元竿１と元上竿２とを示した図。
【図７】  図６の元竿１及び元上竿２を示した断面図。
【図８】  本発明の第４実施形態を採用した中通し竿の図７に相当する図。
【図９】  図８の底栓２９を示した図。
【図１０】  本発明の第５実施形態を示した元上竿２の釣糸導入口１０付近を示した図。
【図１１】  図１０の変形例を示した図。
【図１２】  本発明の第６実施形態を採用した元竿１及び袴部材４０を示した図。
【図１３】  本発明の第７実施形態を採用した蓋部材６０を示した図。
【図１４】  図１３の側面方向視図。
【図１５】  本発明の他の実施形態を採用した元上竿２の釣糸導入口１０付近を示した図。
【図１６】  図１５の上面図。
【図１７】  本発明のさらに別の実施形態を採用した元上竿２の釣糸導入口１０付近を示した図。
【符号の説明】
１  元竿
２  元上竿
１０  釣糸導入口
３０  短筒部材
４０  袴部材
５０，１３，６０  蓋部材
【図１】
0004022409.tif 000002
【図２】
0004022409.tif 000003
【図３】
0004022409.tif 000004
【図４】
0004022409.tif 000005
【図５】
0004022409.tif 000006
【図６】
0004022409.tif 000007
【図７】
0004022409.tif 000008
【図８】
0004022409.tif 000009
【図９】
0004022409.tif 000010
【図１０】
0004022409.tif 000011
【図１１】
0004022409.tif 000012
【図１２】
0004022409.tif 000013
【図１３】
0004022409.tif 000014
【図１４】
0004022409.tif 000015
【図１５】
0004022409.tif 000016
【図１６】
0004022409.tif 000017
【図１７】
0004022409.tif 000018